(57)【要約】【課題】メンテナンス時における作業効率を向上させるとともに、スケールを組み付ける際の位置精度を向上させる。【解決手段】ブック原稿用コンタクトガラス１５ａと接着可能な構造を有し、ブック原稿用コンタクトガラス１５ａに載置される原稿の一辺の位置決め可能なスケール１６が、並列に配置されるブック原稿用コンタクトガラス１５ａと搬送原稿用コンタクトガラス１５ｂとの隙間に配置される構造とした。これにより、メンテナンス時にブック原稿用コンタクトガラス１５ａ等を取扱う際の煩雑さを解消することが可能になると共に、スケール１６等を取り付ける際の位置決めも簡便に行うことが可能になる。【選択図】　　図２
2004077523.tif 000002
【特許請求の範囲】
【請求項１】
上面に原稿を載置するブック原稿用コンタクトガラスと、
前記ブック原稿用コンタクトガラスと隙間を開けて並列に配置され、自動原稿送り装置によって原稿が搬送される搬送経路に接するように位置づけられる搬送原稿用コンタクトガラスと、
前記隙間に配置され、前記ブック原稿用コンタクトガラスと接着可能な構造を有し、上面に、前記搬送原稿用コンタクトガラスの表面に連続して搬送経路の一部を構成するよう位置づけられる原稿ガイド面と、前記ブック原稿用コンタクトガラスに載置された原稿の一辺を位置決めする延出部材とを有するスケールと、を具備する画像読取装置。
【請求項２】
前記ブック原稿用コンタクトガラスに対して前記スケールを位置決めする位置決め部材と、前記ブック原稿用コンタクトガラスを突き当て位置決めする突き当て部材と、を具備し、前記ブック原稿用コンタクトガラスを前記突き当て部材に突き当て位置決めすることによってそのブック原稿用コンタクトガラスに接着された前記スケールを位置決めするようにした請求項１記載の画像読取装置。
【請求項３】
前記スケールには下方へ延出する一対の脚部が主走査方向の両端面側に形成され、前記脚部との嵌合を許容することによって嵌合された前記スケールを位置決めする一対の孔部が形成されているフレームを具備する請求項１記載の画像読取装置。
【請求項４】
前記フレームに設けられている一方の前記孔部は、この孔部に嵌合する前記脚部側を支点として前記スケールを回動させた場合にその脚部と干渉しない遊びを有している請求項３記載の画像読取装置。
【発明の詳細な説明】
【０００１】
【発明の属する技術分野】
本発明は、紙面上に形成された画像を光学的に読み取り、その画像をデジタル化された信号に変換する画像読取装置に関する。
【０００２】
【従来の技術】
電子写真プロセスを利用した複写機等の入力装置として用いられている画像読取り装置は、原稿の印字面を露光した際の反射光をＣＣＤ上に結像させることにより画像を読み取り、ＣＣＤの出力に基づいてデジタル化された信号を出力する装置である。
【０００３】
画像読取装置の従来例を図１０に示す。図１０は、複写機に用いられている画像読取装置の構造を示す縦断側面図である。
【０００４】
画像読取装置１０１は、画像読取部１０２と自動原稿送り装置（ＡＤＦ）１０３とから構成されている。
【０００５】
画像読取部１０２は、搬送原稿読取部１０４、ブック原稿読取部１０５、スケール１０６、フレーム１０７及び光学部材１０８を備えている。
【０００６】
また、自動原稿送り装置１０３は、搬送経路１０３ａの両端に搬送トレイ１０３ｂ及び排紙トレイ１０３ｃを備えている。
【０００７】
搬送原稿読取部１０４及びブック原稿読取部１０５には、上部に搬送原稿用コンタクトガラス１０４ａ及びブック原稿用コンタクトガラス１０５ａが配設されている。搬送原稿用コンタクトガラス１０４ａ及びブック原稿用コンタクトガラス１０５ａは、それぞれ並列に配置されており、それらの間には隙間が開けられている。
【０００８】
スケール１０６は、搬送原稿用コンタクトガラス１０４ａ及びブック原稿用コンタクトガラス１０５ａの上に跨るように配設されている板状部材である。また、搬送原稿用コンタクトガラス１０４ａと接する部分についてはＡＤＦ１０３の搬送経路１０３ａの一部を構成しており、その部分には孔部１０６ａが開けられている。また、ブック原稿用コンタクトガラス１０５ａと接する部分については、図示しない接着部材によってブック原稿用コンタクトガラス１０５ａと接着されている。
【０００９】
ここで、ブック原稿用コンタクトガラス１０５ａに原稿を載置する場合、原稿を載置する位置はブック原稿用コンタクトガラス１０５ａに接着されたスケール１０６の端面に原稿の一辺を突き当てることにより決定する。この位置は、例えば複写機等で複写を行う場合においては、原稿に形成された画像の位置等を忠実に再現するための基準とされている。そのため、複写等の画像形成を行う場合、再現性を向上させるための手段として、スケール１０６の設置位置の精度を向上させることが上げられる。
【００１０】
この設置位置精度を向上させる考案として、実公平７−４５０７７号公報では、ブック原稿用コンタクトガラスの一ヶ所に溝を、スケールに脚部を形成し、これらを嵌合させることによりスケールの位置精度を向上させ、複写紙に形成される画像の位置精度を向上させるための考案が公開されている。
【００１１】
【発明が解決しようとする課題】
ブック原稿用コンタクトガラス１０５ａと搬送原稿用コンタクトガラス１０４ａとの間を跨り、搬送原稿用コンタクトガラス１０４ａの上において搬送経路の一部を構成する形状を有するスケール１０６は、ブック原稿用コンタクトガラス１０５ａと接する部分が接着部材によって接着されている。このため、メンテナンス時等において、ブック原稿用コンタクトガラス１０５ａを取り外す際には、ブック原稿用コンタクトガラス１０５ａと共にスケール１０６も取り外される。このとき、スケール１０６が搬送原稿用コンタクトガラス１０４ａの上に跨る構造を有すると、ブック原稿用コンタクトガラス１０５ａ及びスケール１０６を取り外す際に、スケール１０６が搬送原稿用コンタクトガラス１０４ａやその周囲に配置された部品等と接触しないようにする必要があり、ブック原稿用コンタクトガラス１０５ａ等の取扱いが煩雑になるという問題点がある。
【００１２】
次いで、実公平７−４５０７７号公報では、スケールの位置精度を向上させるための技術が公開されている。しかし、この技術はブック原稿用コンタクトガラスの表面に溝を形成する必要があり、製作効率が悪いという問題点がある。
【００１３】
本発明の目的は、メンテナンス時における各部材の脱着性及び作業効率を向上させることである。
【００１４】
本発明の目的は、スケールを取り付ける際の位置精度を向上させることにより、原稿の読取精度を向上させることである。
【００１５】
【課題を解決するための手段】
請求項１記載の発明は、上面に原稿を載置するブック原稿用コンタクトガラスと、前記ブック原稿用コンタクトガラスと隙間を開けて並列に配置され、自動原稿送り装置によって原稿が搬送される搬送経路に接するように位置づけられる搬送原稿用コンタクトガラスと、前記隙間に配置され、前記ブック原稿用コンタクトガラスと接着可能な構造を有し、上面に、前記搬送原稿用コンタクトガラスの表面に連続して搬送経路の一部を構成するよう位置づけられる原稿ガイド面と、前記ブック原稿用コンタクトガラスに載置された原稿の一辺を位置決めする延出部材とを有するスケールとを具備する。
【００１６】
したがって、スケールは、搬送原稿用コンタクトガラスとブック原稿用コンタクトガラスとの隙間に配置され、そのスケールの上面に形成される原稿ガイド面は搬送原稿用コンタクトガラスの表面に連続して搬送経路の一部を構成し、かつスケールにはブック原稿用コンタクトガラスに載置された原稿の位置決めを行う形状を有する延出部材が設けてあるので、搬送される原稿の搬送経路を有する機能及び位置決め機能については従来例と同様の機能を有する。また、スケールは搬送原稿用コンタクトガラスとブック原稿用コンタクトガラスとの隙間に配置した構造であるので、その形状の小型化を図ることが可能になり、メンテナンス時等においてブック原稿用コンタクトガラス及びスケールを脱着する際にスケールが搬送原稿用コンタクトガラスやその周囲の部品と接触しないようにする必要がなくなり、ブック原稿用コンタクトガラス等の取扱いの煩雑さを解消することが可能になる。
【００１７】
請求項２記載の発明は、請求項１記載の発明において、前記ブック原稿用コンタクトガラスに対して前記スケールを位置決めする位置決め部材と、前記ブック原稿用コンタクトガラスを突き当て位置決めする突き当て部材と、を具備し、前記ブック原稿用コンタクトガラスを前記突き当て部材に突き当て位置決めすることによってそのブック原稿用コンタクトガラスに接着された前記スケールを位置決めする。
【００１８】
したがって、ブック原稿用コンタクトガラスに対してスケールの位置決めを行う位置決め部材と、ブック原稿用コンタクトガラスの位置決めを行う突き当て部材とを具備し、スケールとブック原稿用コンタクトガラスとを接着することにより、ブック原稿用コンタクトガラスを介してスケールの位置決めを行うことが可能になる。
【００１９】
請求項３記載の発明は、請求項１記載の発明において、前記スケールには下方へ延出する一対の脚部が主走査方向の両端面側に形成され、前記脚部との嵌合を許容することによって嵌合された前記スケールを位置決めする一対の孔部が形成されているフレームを具備する。
【００２０】
したがって、スケールには下方へ延出する一対の脚部が主走査方向の両端面側に形成されており、その脚部との嵌合を許容する孔部がフレームに設けられているので、フレームに対して直接スケールの位置決めをすることが可能になる。
【００２１】
請求項４記載の発明は、請求項３記載の発明において、前記フレームに設けられている一方の前記孔部は、この孔部に嵌合する前記脚部側を支点として前記スケールを回動させた場合にその脚部と干渉しない遊びを有している。
【００２２】
したがって、メンテナンス時にスケールを取り外す際、一方の脚部を支点としてスケールを回動させた場合に、その脚部と嵌合する孔部の形状を回動する脚部と干渉しない遊びを有する形状としたので、メンテナンス時等において、ブック原稿用コンタクトガラスやスケールの取り外し等の作業を簡便に行うことが可能になる。
【００２３】
【発明の実施の形態】
本発明の第一の実施の形態を図１ないし図４に基づいて説明する。本発明の第一の実施の形態は、画像読取装置を備えている電子機器の一例として、複写機への適用例について説明する。
【００２４】
図１は、第一の実施の形態である画像読取装置を備えている複写機の構成を示す模式図、図２は、本実施の形態である画像読取装置の構成を示す縦断側面図、図３は、図２で示した画像読取装置のうち、スケール周辺の部材の配置等を示す分解斜視図、図４は、図２で示した画像読取装置のうち、スケール周辺の各部材の位置関係を詳述した部分拡大図である。
【００２５】
本実施の形態である複写機１は、画像読取装置２、画像形成部３及び給紙部４から構成されている。
【００２６】
画像形成部３は、感光体５を主要素として、その周囲には、帯電装置６、露光装置７、現像装置８、転写装置９及びクリーニング装置１０が電子写真プロセス順に配置されている。また、給紙部４は給紙トレイ１１、通紙経路１２から構成されており、通紙経路１２には、定着装置１３が配置されている。
【００２７】
画像読取装置２は、自動原稿送り装置（以下、単にＡＤＦ１４という）、コンタクトガラス１５、スケール１６、光学部材１７及びフレーム１８から構成されている。
【００２８】
ＡＤＦ１４は、搬送経路１４ａに沿って搬送される原稿を予め載置させておく搬送トレイ１４ｂ、搬送経路１４ａにおいて原稿を搬送する複数の搬送ローラ１４ｃ及び搬送し終えた原稿が排出される排紙トレイ１４ｄから構成されている。搬送トレイ１４ｂにセットされた原稿は、搬送ローラ１４ｃによって搬送経路１４ａを搬送され、排紙トレイ１４ｄに排紙される。
【００２９】
コンタクトガラス１５は、例えばブック原稿のような搬送できない原稿を載置させるブック原稿用コンタクトガラス１５ａと、搬送経路１４ａの一部と接するように位置づけられる搬送原稿用コンタクトガラス１５ｂとから構成されており、ブック原稿用コンタクトガラス１５ａと搬送原稿用コンタクトガラス１５ｂは、それらの間に隙間を開けて並列に配置されている。
【００３０】
スケール１６は、ブック原稿用コンタクトガラス１５ａと搬送原稿用コンタクトガラス１５ｂとの間に開けられた隙間に配置されており、上面には搬送経路１４ａの一部を構成する原稿ガイド面１６ａが形成され、側方にはブック原稿用コンタクトガラス１５ａの上方に乗り上げ配置され、載置された原稿の一辺を位置決めする延出部材１６ｂが設けられている。スケール１６を前述した隙間に配置させた場合には、原稿ガイド面１６ａは搬送原稿用コンタクトガラス１５ｂの表面と連続して搬送経路の一部を構成するように位置づけられる。
【００３１】
延出部材１６ｂは、その下方にブック原稿用コンタクトガラス１６ａと嵌合する嵌合スペース１６ｃを有しており、嵌合スペース１６ｃには、ブック原稿用コンタクトガラス１５ａを突き当て位置決めする位置決め面１６ｄを有する。また、延出部材１６ｂのうちブック原稿用コンタクトガラス１５ａの表面と接する面１６ｅには、図示しない両面テープ等の接着部材が設けられており、ブック原稿用コンタクトガラス１５ａとスケール１６とが接着可能な構造を有している。
【００３２】
また、延出部材１６ｂの端面１６ｆは、ブック原稿用コンタクトガラス１５ａの上に載置される原稿の一辺を延出部材１６ｂの端面１６ｆに突き当てて原稿の位置決めを行う。
【００３３】
光学部材１７は、光源１７ａ、複数のミラー１７ｂ、レンズ１７ｃ及びＣＣＤ１７ｄから構成されており、これらの部材は、すべて搬送原稿用コンタクトガラス１５ｂ及びブック原稿用コンタクトガラス１５ａの下方に配置されている。光源１７ａは、原稿の印字面等を露光し、その時に得られる反射光をミラー１７ｂ及びレンズ１７ｃによってＣＣＤ１７ｄに結像させる。ＣＣＤ１７ｄは、結像した画像に基づいてデジタル信号を出力する。
【００３４】
フレーム１８には、ブック原稿用コンタクトガラス１５ａ、搬送原稿用コンタクトガラス１５ｂ、スケール１６、光学部材１７等が配置されており、その上方にＡＤＦ１４が設けられている。フレーム１８とＡＤＦ１４とは、一辺が蝶番等の部材で取り付けられており、ＡＤＦ１４は、蝶番等の部材で取り付けられた点を回転中心として、フレーム１８の上面に対して垂直方向に向けて回動自在な構造を有する。また、フレーム１８の上部には、主走査方向に沿って突き当て部材１８ａが設けられており、組立時やメンテナンス時においてブック原稿用コンタクトガラス１５ａをフレーム１８に取り付ける際、ブック原稿用コンタクトガラス１５ａを突き当て部材１８ａに突き当てることにより、フレーム１８に対するブック原稿用コンタクトガラス１５ａの位置決めが行える構造を有する。
【００３５】
このような構成において、ブック原稿用コンタクトガラス１５ａ及びスケール１６は、フレーム１８に対して図３及び図４に示すように配置される。
【００３６】
つまり、ブック原稿用コンタクトガラス１５ａは、フレーム１８に設けられている突き当て部材１８ａと突き当てられて位置決めが行われる。次に、突き当て部材１８ａと突き当てられたブック原稿用コンタクトガラス１５ａの側面部の上部に、スケール１６を載置する。このとき、スケール１６に設けられている位置決め面１６ｄとブック原稿用コンタクトガラス１５ａの側面部１５ｂとを突き当てて載置すると共に、接着部材を用いてスケール１６とブック原稿用コンタクトガラス１５ａとを接着する。
【００３７】
したがって、フレーム１８に設けられた突き当て部材１８ａにブック原稿用コンタクトガラス１５ａを突き当ててブック原稿用コンタクトガラス１５ａの位置決めを行い、スケール１６は、ブック原稿用コンタクトガラス１５ａに対してブック原稿用コンタクトガラス１５ａの側面部１５ｂとスケール１６に形成されている位置決め面１６ｄとが接するように配置することにより、フレーム１８に対するスケール１６の位置決めが実現される。
【００３８】
また、メンテナンス時において、スケール１６を取り外す際には、接着されているブック原稿用コンタクトガラス１５ａと共にスケール１６を取り外せばよい。このとき、スケール１６はブック原稿用コンタクトガラス１５ａと搬送原稿用コンタクトガラス１５ｂとの間に開けられた隙間に配置できるように小型化されているので、メンテナンス時におけるブック原稿用コンタクトガラス１５ａの取り外しや取付けを容易に行うことが可能になると共に、ブック原稿用コンタクトガラス１５ａ及びスケール１６の取扱いの煩雑さを解消することが可能である。
【００３９】
なお、本実施の形態では、ブック原稿用コンタクトガラス１５ａをフレーム１８の上に載置した後にスケール１６を設置する方法を説明したが、ブック原稿用コンタクトガラス１５ａとスケール１６とを予め接着し、その後にフレーム１８の上に載置したとしても同様の効果が得られる。
【００４０】
また、本実施の形態では、スケール１６の接着をする際に両面テープ等の接着部材を用いる構造としているが、スケール１６を搬送原稿用コンタクトガラス１５ｂとブック原稿用コンタクトガラス１５ａとの間に挟み込む構造としても同様の効果が得られる。
【００４１】
次いで、本発明の第二の実施の形態について、図５及び図６に基づいて説明する。図５は、図２で示した画像読取装置のうち、第二の実施の形態についてスケール周辺の部材の配置等を示す分解斜視図、図６は、図２で示した画像読取装置のうち、スケール周辺の各部材の位置関係を詳述した部分拡大図である。
【００４２】
なお、第二の実施の形態については、第一の実施の形態と同一部分は同一符号で示し説明も省略する。
【００４３】
本実施の形態では、原稿ガイド面１６ａ及び延出部材１６ｂが設けられているスケール１６には、主走査方向の両端面側に下方へ延出する一対の脚部１６ｇが形成されている。また、画像読取に必要なブック原稿用コンタクトガラス１５ａ等の部材が配設されているフレーム１８には、脚部１６ｇと嵌合を許容する一対の孔部１８ｂが形成されている。
【００４４】
このような構成において、ブック原稿用コンタクトガラス１５ａ及びスケール１６は、フレーム１８に対して図５及び図６に示すように配置される。
【００４５】
つまり、組立時やメンテナンス時にブック原稿用コンタクトガラス１５ａを取り付ける際は、フレーム１８に設けられている突き当て部材１８ａに突き当てられて、ブック原稿用コンタクトガラス１５ａは位置決めが行われる。次に、フレーム１８に形成された一対の孔部１８ｂとスケール１６に形成された一対の脚部１６ｇとを嵌合させてスケール１６をフレーム１８に固定する。このとき、スケール１６の延出部材１６ｂとブック原稿用コンタクトガラス１５ａとは、接着部材によって接着される。
【００４６】
したがって、スケール１６及びフレーム１８には、それぞれを嵌合させる嵌合構造を形成し、スケール１６とフレーム１８とを嵌合させることにより、フレーム１８に対するスケール１６の位置決めを直接行うことができるので、スケール１６をフレーム１８に取り付ける際の位置決めの精度を向上させることが可能である。
【００４７】
次いで、本発明の第三の実施の形態について、図７及び図８に基づいて説明する。図７は、図２で示した画像読取装置のうち、第三の実施の形態についてスケール周辺の部材の配置等を示す分解斜視図、図８は、図２で示した画像読取装置のうち、スケール周辺の各部材の位置関係を詳述した部分拡大図である。
【００４８】
本実施の形態では、図７においてフレーム１８に形成されている左側の孔部１８ｃは、この孔部１８ｃに嵌合する脚部１６ｈを支点としてスケール１６を回動させた場合にその脚部１６ｈと干渉しない遊びを副走査方向と直交する方向に有している。本実施の形態では、図７中に示す脚部１６ｈを支点としてスケール１６を回動させて持ち上げた場合に、フレーム１８の孔部１８ｃと嵌合し、回動する脚部１６ｈと干渉しない遊びを有する構造として、孔部１８ｃは溝形状を有している。
【００４９】
孔部１８ｃが副走査方向と直交する方向に遊びを有する構造とすると、スケール１６の脚部１６ｇとフレーム１８の孔部１８ｂとが干渉させずに容易に取り外すことが可能になる理由について、図９に基づいて説明する。図９は、図７中のａ−ａ間における矢視図である。
【００５０】
まず、孔部が脚部１６ｈの外径とほぼ同一の寸法で設けられているとすれば、孔部と脚部１６ｈとの間に隙間がほとんどなくなるので、脚部１６ｈを支点としてスケール１６を回動させることができない。したがって、脚部１６ｈと孔部とが直交した状態を維持しつつ、スケール１６を抜く必要があり、スケール１６の取り外しに手間がかかる。
【００５１】
これに対し、図９のように一方の孔部１８ｃを溝形状とすると、スケール１６が矢印Ｘの方向へ回動し、それに伴って脚部１６ｈが回動する際には、脚部１６ｈは図９の点線で示す移動軌跡に沿って移動し、その時の移動軌跡よりも孔部１８ｂの孔径が大きいので、脚部１６ｈと孔部１８ｃとが互いに干渉しあうことはない。即ち、スケール１６の一方の脚部１６ｇを右上に持ち上げると、他方の脚部１６ｈは右上に持ち上げられている脚部１６ｇの高さに伴い、任意にその位置を変化させることができる。
【００５２】
したがって、図９に示すような構造を有する場合は、フレーム１８からスケール１６を取り外す際には、フレーム１８の一方の孔部１８ｂと嵌合する一方の脚部１６ｇを抜き、スケール１６の状態を矢印Ｘの方向へ回動させて、フレーム１８に対して斜めにした状態で取り外すことが可能になる。
【００５３】
以上のことより、本実施の形態を用いることにより、スケール１６を矢印Ｘの方向へ斜めに持ち上げた場合であっても、スケール１６の脚部１６ｈとフレーム１８の孔部１８ｃとが干渉しあうことがなく、スムーズにスケール１６等を取り外すことが可能になる。
【００５４】
なお、本実施の形態では、孔部１８ｃの形状を溝状としたが、孔部１８ｃと嵌合する脚部１６ｈを支点としてスケール１６を回動させることが可能であれば、溝状の形状としなくても同様の効果を得ることができる。
【００５５】
また、上述した各実施の形態では、電子機器としては複写機に用いた例を示したが、これに限らず、例えばＦＡＸ等のような電子機器に用いても、本実施の形態と同様の効果を得ることができる。
【００５６】
【発明の効果】
請求項１記載の発明によれば、スケールは、搬送原稿用コンタクトガラスとブック原稿用コンタクトガラスとの隙間に配置され、そのスケールの上面に形成される原稿ガイド面は搬送原稿用コンタクトガラスの表面に連続して搬送経路の一部を構成し、かつスケールにはブック原稿用コンタクトガラスに載置された原稿の位置決めを行う形状を有する延出部材が設けてあるので、搬送される原稿の搬送経路を有する機能及び位置決め機能については従来例と同様の機能を有し、また、スケールは、搬送原稿用コンタクトガラスとブック原稿用コンタクトガラスとの隙間に配置した構造であるので、その形状の小型化を図ることが可能になり、メンテナンス時等においてブック原稿用コンタクトガラス及びスケールを脱着する際にスケールが搬送原稿用コンタクトガラスやその周囲の部品と接触しないようにする必要がなくなり、ブック原稿用コンタクトガラス等の取扱いの煩雑さを解消することが可能になる。
【００５７】
請求項２記載の発明によれば、ブック原稿用コンタクトガラスに対してスケールの位置決めを行う位置決め部材と、フレームに対してブック原稿用コンタクトガラスの位置決めを行う突き当て部材とを具備し、スケールとブック原稿用コンタクトガラスとを接着することにより、ブック原稿用コンタクトガラスを介してフレームに対するスケールの位置決めを行うことが可能になる。
【００５８】
請求項３記載の発明によれば、スケールには下方へ延出する一対の脚部が主走査方向の両端面側に形成されており、その脚部との嵌合を許容する孔部がフレームに設けられているので、フレームに対して直接スケールの位置決めをすることが可能になる。
【００５９】
請求項４記載の発明によれば、一方の脚部を支点としてスケールを回動させた場合に、その脚部と嵌合する孔部の形状を回動する脚部と干渉しない遊びを有する形状としたので、メンテナンス時等において、ブック原稿用コンタクトガラスやスケールの取り外し等の作業を簡便に行うことが可能になる。
【図面の簡単な説明】
【図１】本発明の実施の形態である画像読取装置を備えた複写機の構成を示す模式図である。
【図２】本発明の第一の実施の形態である画像読取装置の構成を示す縦断側面図である。
【図３】本発明の第一の実施の形態である画像読取装置のフレーム、スケール及びブック原稿用コンタクトガラスの位置関係について示す分解斜視図である。
【図４】本発明の第一の実施の形態である画像読取装置のフレーム、スケール、搬送原稿用コンタクトガラス及びブック原稿用コンタクトガラスの位置関係について示す部分拡大図である。
【図５】本発明の第二の実施の形態である画像読取装置のフレーム、スケール及びブック原稿用コンタクトガラスの位置関係について示す分解斜視図である。
【図６】本発明の第二の実施の形態である画像読取装置のフレーム、スケール、搬送原稿用コンタクトガラス及びブック原稿用コンタクトガラスの位置関係について示す部分拡大図である。
【図７】本発明の第三の実施の形態である画像読取装置のフレーム、スケール及びブック原稿用コンタクトガラスの位置関係について示す分解斜視図である。
【図８】本発明の第三の実施の形態である画像読取装置のフレーム、スケール、搬送原稿用コンタクトガラス及びブック原稿用コンタクトガラスの位置関係について示す部分拡大図である。
【図９】本発明の第三の実施の形態において、スケールを取り外す際のスケールの脚部とフレームの孔部との位置関係について示す模式図である。
【図１０】本発明の従来技術の一例として示す画像読取装置の構成を示す縦断側面図である。
【符号の説明】
２　　画像読取装置
１４　　自動原稿送り装置（ＡＤＦ）
１４ａ　　搬送経路
１５ａ　　ブック原稿用コンタクトガラス
１５ｂ　　搬送原稿用コンタクトガラス
１６　　スケール
１６ａ　　原稿ガイド面
１６ｄ　　脚部
１８ａ　　突き当て部材
１８ｂ　　孔部
【図１】
2004077523.tif 000003
【図２】
2004077523.tif 000004
【図３】
2004077523.tif 000005
【図４】
2004077523.tif 000006
【図５】
2004077523.tif 000007
【図６】
2004077523.tif 000008
【図７】
2004077523.tif 000009
【図８】
2004077523.tif 000010
【図９】
2004077523.tif 000011
【図１０】
2004077523.tif 000012